(57)【要約】【課題】原稿圧着板を中間位置の開き角度で停止させて保持でき、しかも、取付脚部が装置本体の取付穴から抜けても撥ね上がらないようにする。【解決手段】取付部材(２)と支持部材(３)とヒンジピン(４)とを備えた、原稿圧着板開閉装置である。取付部材(２)は、取付脚部(５)とヒンジピン(４)周囲のカム部材(11)とを備える。支持部材(３)はスライダー(12)と付勢バネ(13)とを備え、スライダー(12)は、カム面(14)に摺動する当接部(15)を備える。カム面(14)の中間部に段部(16)を形成する。当接部(15)が付勢バネ(13)の弾圧力に抗して段部(16)から閉じ側へ移動する際に必要とされる回転力を、このときの原稿圧着板(８)の自重による閉じ方向の回転力よりも大きく設定する。段部(16)以外のカム面(14)を、当接部(15)との当接点における法線がヒンジピン(４)を通過するカム形状に形成する。【選択図】  図１
2006017855.tif 000002
【特許請求の範囲】
【請求項１】
装置本体(６)に取り付けられる取付部材(２)と、原稿圧着板(８)を保持する支持部材(３)と、この支持部材(３)を上記の取付部材(２)へ回動可能に連結するヒンジピン(４)とを備え、
上記の取付部材(２)は装置本体(６)に形成した取付穴(７)へ挿抜可能に挿入される取付脚部(５)を備え、
上記の取付部材(２)と支持部材(３)のいずれか一方の上記のヒンジピン(４)の周囲にカム部材(11)を設けるとともに、他方にスライダー(12)とこのスライダー(12)を上記のカム部材(11)に向けて弾圧付勢する付勢バネ(13)とを設け、
上記のスライダー(12)は上記のカム部材(11)のカム面(14)に摺動する当接部(15)を備えた、原稿圧着板開閉装置であって、
上記のカム面(14)の中間部に少なくとも１つの段部(16)を形成し、
上記の当接部(15)が上記の付勢バネ(13)の弾圧力に抗してこの段部(16)から閉じ側へ移動する際に必要とされる回転力を、このときの原稿圧着板(８)の自重による閉じ方向の回転力(Ｆ)よりも大きく設定し、
上記の段部(16)以外のカム面(14)を、上記の当接部(15)との当接点における法線(19)が前記のヒンジピン(４)を通過するカム形状に形成したことを特徴とする、原稿圧着板開閉装置。
【請求項２】
上記の段部(16)を、上記の装置本体(６)に対する原稿圧着板(８)の開き角度(α)が１０〜７０度の範囲内で、上記の当接部(15)が当接する位置のカム面(14)に形成した、請求項１に記載の原稿圧着板開閉装置。
【請求項３】
上記の原稿圧着板(８)を全開姿勢(Ｏ)へ切り換えたとき上記の当接部(15)が当接する位置に、他のカム面(14)よりも上記のヒンジピン(４)に近接した第２段部(18)を形成した、請求項１または請求項２に記載の原稿圧着板開閉装置。
【発明の詳細な説明】
【技術分野】
【０００１】
本発明は、複写機、印刷機、スキャナー等で原稿を圧着するのに用いられる原稿圧着板の開閉装置に関し、さらに詳しくは、原稿圧着板を中間位置の開き角度で停止させて保持できるものでありながら、取付脚部が装置本体の取付穴から抜けても撥ね上がらないようにした、原稿圧着板開閉装置に関する。
【背景技術】
【０００２】
従来、この種の原稿圧着板開閉装置には、例えば図５と図６に示すように、装置本体(51)に取り付けられる取付部材(52)と、原稿圧着板(53)を保持する支持部材(54)と、この支持部材(54)を上記の取付部材(52)へ回動可能に連結するヒンジピン(55)とを備えたものがある(特許文献１参照)。
【０００３】
図５に示すように、上記の取付部材(52)は、装置本体(51)に形成した取付穴(56)へ挿抜可能に挿入される取付脚部(57)を備える。上記の装置本体(51)の原稿台(58)には厚物原稿(59)を載置する場合があり、この場合も上記の原稿圧着板(53)が原稿台(58)と略平行な閉じ姿勢となるように、上記の取付脚部(57)を上記の取付穴(56)内で昇降させ、原稿圧着板(53)の回転中心であるヒンジピン(55)の位置を装置本体(51)に対して上下できるようにしてある。
【０００４】
上記の取付部材(52)には、ヒンジピン(55)の周囲にカム部材(60)を固定してある。また上記の支持部材(54)には、スライダー(61)とこのスライダー(61)を上記のカム部材(60)に向けて弾圧付勢する付勢バネ(62)とを設けてある。上記のスライダー(61)は上記のカム部材(60)のカム面(63)に摺動する当接部(64)を備えている。このカム面(63)は、図６に示すように原稿圧着板(53)が所定角度(α)開いた状態では、上記の当接部(64)が当接する点での接線に対する垂線、即ち法線(65)が、回転中心である前記のヒンジピン(55)から偏位したカム形状に形成してある。このため、この開き角度(α)では上記の付勢バネ(62)の弾圧力により、上記の原稿圧着板(53)を開く方向のヒンジトルクが発生する。この結果、上記の原稿圧着板(53)は、自重による閉じ方向の回転力(Ｆ)と上記の付勢バネ(62)の弾圧力による開き方向のヒンジトルクとがバランスした、中間位置の開き角度で停止して保持される。
【０００５】
【特許文献１】実公平４−２８０９４号公報
【発明の開示】
【発明が解決しようとする課題】
【０００６】
上記の取付脚部(57)は上記の取付穴(56)へ挿抜可能であり、この取付穴(56)内で昇降できるため、原稿が厚すぎた場合などはこの取付穴(56)から不用意に抜け出てしまう場合がある。このとき、上記の付勢バネ(62)によるヒンジトルクが発生していると、取付穴(56)から抜け出た取付脚部(57)は装置本体(51)による支持力を失って急激に撥ね上がり、他物に衝突したり、その衝撃で破損したりする虞がある。
【０００７】
本発明の技術的課題は、上記の問題点を解消し、原稿圧着板を中間位置の開き角度で停止させて保持できるものでありながら、取付脚部が装置本体の取付穴から抜けても撥ね上がらないようにした、原稿圧着板開閉装置を提供することにある。
【課題を解決するための手段】
【０００８】
本発明は上記の課題を解決するために、例えば、本発明の実施の形態を示す図１から図４に基づいて説明すると、次のように構成したものである。
即ち本発明は原稿圧着板開閉装置に関し、装置本体(６)に取り付けられる取付部材(２)と、原稿圧着板(８)を保持する支持部材(３)と、この支持部材(３)を上記の取付部材(２)へ回動可能に連結するヒンジピン(４)とを備え、上記の取付部材(２)は装置本体(６)に形成した取付穴(７)へ挿抜可能に挿入される取付脚部(５)を備え、上記の取付部材(２)と支持部材(３)のいずれか一方の上記のヒンジピン(４)の周囲にカム部材(11)を設けるとともに、他方にスライダー(12)とこのスライダー(12)を上記のカム部材(11)に向けて弾圧付勢する付勢バネ(13)とを設け、上記のスライダー(12)は上記のカム部材(11)のカム面(14)に摺動する当接部(15)を備えた、原稿圧着板開閉装置であって、上記のカム面(14)の中間部に少なくとも１つの段部(16)を形成し、上記の当接部(15)が上記の付勢バネ(13)の弾圧力に抗してこの段部(16)から閉じ側へ移動する際に必要とされる回転力を、このときの原稿圧着板(８)の自重による閉じ方向の回転力(Ｆ)よりも大きく設定し、上記の段部(16)以外のカム面(14)を、上記の当接部(15)との当接点における法線(19)が前記のヒンジピン(４)を通過するカム形状に形成したことを特徴とする。
【０００９】
当接部が付勢バネの弾圧力に抗してこの段部を乗り越え、閉じ側へ移動するのに必要な回転力を、上記の原稿圧着板の自重による閉じ方向の回転力よりも大きく設定してあるので、上記の原稿圧着板が閉じられる際にカム面上を閉じ方向へ摺動移動する当接部は、この段部に受止められて移動を停止する。一方、上記の段部以外のカム面は、当接部が当接する点での法線が支持部材の回転中心となるヒンジピンを通過するカム形状であるので、上記の付勢バネの弾圧力は、上記の原稿圧着板を開き方向へ回動させる回転力(いわゆるヒンジトルク)を発生させない。
【００１０】
上記の段部は、原稿圧着板を中間位置の開き角度で停止させて保持できるものであればよく、カム面の任意の位置に形成することができる。しかし、その形成位置は、原稿を操作できる程度に開いた状態で受け止めると好ましく、通常、上記の装置本体に対する原稿圧着板の開き角度が１０〜７０度の範囲内で、より好ましくは３０〜６０度の範囲内で、更に好ましくは４０〜５０度の範囲内で、上記の当接部が当接する位置のカム面に形成される。
【００１１】
上記の原稿圧着板を全開姿勢へ切り替えたとき上記の当接部が当接する位置に、他のカム面よりも上記のヒンジピンに近接した第２段部を形成すると、上記の当接部がこの第２段部に嵌まり込んだ感触で原稿圧着板が全開姿勢に切り替わったことを容易に認知でき、しかも、原稿圧着板をこの全開姿勢に容易に保持できるので、好ましい。
【発明の効果】
【００１２】
本発明は上記のように構成され作用することから、次の効果を奏する。
【００１３】
(１)  当接部はカム面上を閉じ方向へ摺動移動する際に上記の段部へ受止められることから、原稿圧着板をこの段部に対応する中間位置の開き角度で停止させて保持することができる。
【００１４】
(２)  しかも、上記の段部以外のカム面に向けてスライダーを付勢する付勢バネの弾圧力は、上記の原稿圧着板を開閉させるヒンジトルクを発生しないことから、仮に取付脚部が装置本体の取付穴から抜けても撥ね上がることがなく、この撥ね上がりによる他物との衝突などを防止することができる。
【発明を実施するための最良の形態】
【００１５】
以下、本発明の実施の形態を図面に基づき説明する。
図１から図４は本発明の原稿圧着板開閉装置の実施形態を示し、図１は原稿圧着板を閉じた状態を示す原稿圧着板開閉装置の一部破断図、図２は原稿が厚い場合の使用例を示す原稿圧着板開閉装置の断面図、図３は原稿圧着板を中間位置の開き角度で停止させた状態を示す原稿圧着板開閉装置の断面図、図４はカム部材近傍の拡大断面図である。
【００１６】
図１に示すように、この原稿圧着板開閉装置(１)は、取付部材(２)と、支持部材(３)と、この支持部材(３)を上記の取付部材(２)へ回動可能に連結するヒンジピン(４)とを備える。
上記の取付部材(２)は取付脚部(５)を備えており、この取付脚部(５)は複写機などの装置本体(６)に形成された取付穴(７)へ挿抜可能に挿入される。一方、上記の支持部材(３)は原稿圧着板(８)に固定され、上記のヒンジピン(４)を中心に回動することで、上記の原稿圧着板(８)が装置本体(６)の原稿台(９)に対し開閉される。
【００１７】
図２に示すように、上記の原稿台(９)に厚物原稿(10)が載置される場合は、上記の取付脚部(５)が上記の取付穴(７)内を昇降して、原稿圧着板(８)の回転中心であるヒンジピン(４)が装置本体(６)に対し上下する。これにより、原稿圧着板(８)が原稿台(９)上の厚物原稿(10)とほぼ平行になり、この厚物原稿(10)をほぼ均一に押圧した状態で覆うことができる。
【００１８】
図１と図２に示すように、上記の取付部材(３)には、上記の取付脚部(５)の上部にカム部材(11)が一体的に設けてある。上記のヒンジピン(４)はこのカム部材(11)を貫通するとともに、上記の支持部材(３)の一端側に挿通してあり、これにより、このヒンジピン(４)を介して上記の支持部材(３)が取付部材(２)へ回動可能に連結されている。
【００１９】
一方、上記の支持部材(３)の内部には、支持部材(３)の内面に沿って進退可能なスライダー(12)と付勢バネ(13)とが配置してあり、このスライダー(12)は付勢バネ(13)の弾圧力で上記のカム部材(11)に向けて弾圧付勢されている。そして、このスライダー(12)には上記のカム部材(11)のカム面(14)に当接して摺動する当接部(15)が一体に形成してある。
【００２０】
図３に示すように、上記のカム面(14)の中間部、具体的には上記の原稿台(９)に対する原稿圧着板(８)の開き角度(α)が約４５度のときに上記の当接部(15)が当接する位置に、段部(16)を形成してある。なお、この実施例では開き角度(α)が４５度に対応する位置に段部(16)を形成したが、本発明では１０〜７０度、好ましくは３０〜６０度、より好ましくは４０〜５０度の範囲内の任意の位置にこの段部(16)を形成することができる。
【００２１】
上記の段部(16)は、上記の当接部(15)が付勢バネ(13)の弾圧力に抗してこの段部(16)から閉じ側へ移動する際に必要とされる回転力が、このときの原稿圧着板(８)の自重による閉じ方向の回転力(Ｆ)よりも僅かに大きくなるように、その高さが付勢バネ(13)の弾圧力や原稿圧着板(８)の自重などを考慮して設定してある。このため、原稿圧着板(８)を閉じる際にカム面(14)上を閉じ方向へ摺動移動する当接部(15)は、この段部(16)に達すると、この段部(16)に受止められて摺動移動を停止する。そして、作業者が原稿圧着板(８)を閉じ方向へ回動させると、その回動力と原稿圧着板(８)の自重による上記の回転力(Ｆ)とで当接部(15)が段部(16)から閉じ側のカム面(14)へ容易に乗り上げ、これにより原稿圧着板(８)が簡単に閉じられる。
【００２２】
上記のカム面(14)には、図３の仮想線に示すように、上記の原稿圧着板(８)を全開姿勢(Ｏ)へ切り替えたとき上記の当接部(15)が当接する位置に、他のカム面(14)よりも上記のヒンジピン(４)に近接した第２段部(18)が形成してある。作業者が原稿圧着板(８)を全開させると上記の当接部(15)がこの第２段部(18)に嵌まり込み、その感触で原稿圧着板(８)が全開姿勢(Ｏ)に切り替わったことを容易に認知することができる。
また、この第２段部(18)に嵌まり込んだ上記の当接部(15)は、閉じ側へ移動する際に前記の付勢バネ(13)の弾圧力に抗してしてカム面(14)へ乗り上げる必要があり、このため、原稿圧着板(８)は、作業者が閉じ方向へ回動させるまで、この全開姿勢(Ｏ)に容易に保持される。
【００２３】
図４に示すように、上記の段部(16)や第２段部(18)以外のカム面(14)は、いずれの位置においても、上記の当接部(15)との当接点における法線(19)が、支持部材(３)の回動中心である前記のヒンジピン(４)を通過するカム形状に形成してある。このため、上記の付勢バネ(13)による押圧力は、取付部材(２)に対し支持部材(３)を開き方向へ回動させるヒンジトルクを発生させることがない。従って、仮に上記の取付部材(２)の取付脚部(５)が装置本体(６)の取付穴(７)から抜け出たとしても、上記の付勢バネ(13)の弾圧力でこの取付脚部(５)が撥ね上がることはない。
【００２４】
また、上記の付勢バネ(13)の弾圧力による、原稿圧着板(８)を開き側へ回動するヒンジトルクが発生しないことから、装置本体(６)の原稿台(９)上に原稿圧着板(８)を閉じた際には、この原稿圧着板(８)は、自重による閉じ方向の回動力で確りと閉じ姿勢に保持される。
【００２５】
なお、上記の実施形態で説明した原稿圧着板開閉装置は、本発明の技術的思想を具体化するために例示したものであり、各部材の材質や形状、構造などをこの実施形態のものに限定するものではなく、さらには装置本体や原稿圧着板の形状、構造、種類なども上記の実施形態のものに限定されないものであって、本発明の特許請求の範囲内において種々の変更を加え得るものである。
【００２６】
例えば上記の実施形態では、カム部材を取付部材に形成し、スライダーと付勢バネとを支持部材に設けたが、本発明ではカム部材を支持部材に設け、スライダーと付勢バネとを取付部材に設けてもよい。また、カム部材は取付部材などに固定してあればよく、必ずしも一体に形成する必要はない。
さらに、上記の実施形態ではカム面の中間部に１つの段部を形成したが、本発明では複数の段部を形成することも可能である。
【産業上の利用可能性】
【００２７】
本発明の原稿圧着板開閉装置は、原稿圧着板を中間位置の開き角度で停止させて保持できるものでありながら、取付脚部が装置本体の取付穴から抜けても撥ね上がることがないので、特に厚物原稿なども取り扱う複写機や印刷機、スキャナーのほか、各種の画像形成装置などに好適に利用される。
【図面の簡単な説明】
【００２８】
【図１】本発明の実施形態を示し、原稿圧着板を閉じた状態を示す原稿圧着板開閉装置の一部破断図である。
【図２】本発明の実施形態を示し、原稿が厚い場合の使用例を示す原稿圧着板開閉装置の一部破断図である。
【図３】本発明の実施形態を示し、原稿圧着板を中間位置の開き角度で停止させた状態を示す原稿圧着板開閉装置の断面図である。
【図４】本発明の実施形態を示す、カム部材近傍の拡大断面図である。
【図５】従来技術を示す、図２相当図である。
【図６】従来技術を示す、図３相当図である。
【符号の説明】
【００２９】
１…原稿圧着板開閉装置
２…取付部材
３…支持部材
４…ヒンジピン
５…取付脚部
６…装置本体
７…取付穴
８…原稿圧着板
11…カム部材
12…スライダー
13…付勢バネ
14…カム面
15…当接部
16…段部
18…第２段部
19…当接点における法線
Ｆ…原稿圧着板(８)の自重による閉じ方向の回転力
Ｏ…原稿圧着板(８)の全開姿勢
α…原稿圧着板(８)の中間位置での開き角度
【図１】
2006017855.tif 000003
【図２】
2006017855.tif 000004
【図３】
2006017855.tif 000005
【図４】
2006017855.tif 000006
【図５】
2006017855.tif 000007
【図６】
2006017855.tif 000008